(57)【要約】  本発明の一態様に係るユーザ端末は、所定のキャリアにおいて、無線基地局からの上りリンク（ＵＬ：Uplink）送信指示によらないＵＬデータ送信を行う送信部と、前記ＵＬデータ送信のための設定が複数ある場合に、前記ＵＬデータ送信に適用する設定を決定する制御部と、を有することを特徴とする。本発明の一態様によれば、ＵＬグラントフリー送信を行う場合であっても、通信スループットの低下などを抑制できる。
2018225232.tif 000002
【特許請求の範囲】
【請求項１】
所定のキャリアにおいて、無線基地局からの上りリンク（ＵＬ：Uplink）送信指示によらないＵＬデータ送信を行う送信部と、
前記ＵＬデータ送信のための設定が複数ある場合に、前記ＵＬデータ送信に適用する設定を決定する制御部と、を有することを特徴とするユーザ端末。
【請求項２】
前記設定は、ニューメロロジーに関するパラメータを含むことを特徴とする請求項１に記載のユーザ端末。
【請求項３】
前記設定は、ＨＡＲＱ（Hybrid  Automatic  Repeat  reQuest）プロセス数及び／又はＨＡＲＱプロセス番号を含むことを特徴とする請求項１又は請求項２に記載のユーザ端末。
【請求項４】
前記制御部は、最先の前記ＵＬデータ送信用リソースに該当する前記設定を、前記ＵＬデータ送信に適用することを特徴とする請求項１から請求項３のいずれかに記載のユーザ端末。
【請求項５】
前記制御部は、前記ＵＬデータが所定の論理チャネルグループに関連する場合に、当該所定の論理チャネルグループのために設定された前記設定を、前記ＵＬデータ送信に適用することを特徴とする請求項１から請求項４のいずれかに記載のユーザ端末。
【請求項６】
前記制御部は、別々の前記設定に基づく複数の前記ＵＬデータ送信用リソースが時間的に重複する場合、所定の規則に従って決定した前記設定を、前記ＵＬデータ送信に適用することを特徴とする請求項１から請求項５のいずれかに記載のユーザ端末。
【請求項７】
ユーザ端末の無線通信方法であって、
所定のキャリアにおいて、無線基地局からの上りリンク（ＵＬ：Uplink）送信指示によらないＵＬデータ送信を行うステップと、
前記ＵＬデータ送信のための設定が複数ある場合に、前記ＵＬデータ送信に適用する設定を決定するステップと、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００５】
また、無線基地局（例えば、ｅＮＢ（eNode  B））は、ユーザ端末（ＵＥ：User  Equipment）に対するデータの割当て（スケジューリング）を制御し、下り制御情報（ＤＣＩ：Downlink  Control  Information）を用いてデータのスケジューリング指示をＵＥに通知する。例えば、既存のＬＴＥ（例えば、ＬＴＥ  Ｒｅｌ．８−１３）に準拠するＵＥは、ＵＬ送信を指示するＤＣＩ（ＵＬグラントとも呼ばれる）を受信した場合に、所定期間後（例えば、４ｍｓ後）のサブフレームにおいて、ＵＬデータの送信を行う。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ）においては、既存のＬＴＥシステムとは異なる構成を用いてデータのスケジューリングを制御することが想定される。例えば、低遅延かつ高い信頼性が求められる通信サービス（例えば、ＵＲＬＬＣ（Ultra  Reliable  and  Low  Latency  Communications））を提供するために、通信遅延の低減（latency  reduction）が検討されている。【０００８】
具体的には、ＵＬデータの送信を開始するまでの遅延時間を短縮するため、複数のＵＥのＵＬ送信の衝突を許容して通信を行うことが検討されている。例えば、ＵＥが、無線基地局からのＵＬグラントによらないＵＬデータ送信（ＵＬグラントフリー送信、ＵＬグラントレス送信、衝突型ＵＬ送信（contention-based  UL  transmission）、などともいう）が検討されている。【０００９】
しかしながら、様々な遅延及び信頼性の要求範囲に対応するためのＵＬグラントフリー送信の設定をどのように構成するか、またＵＥが当該設定に基づいてどのようにふるまうかについては、まだ検討が進んでいない。これらを適切に決定しなければ、柔軟な制御ができず、通信スループット、周波数利用効率などの劣化が生じるおそれがある。【００１０】
そこで、本発明は、ＵＬグラントフリー送信を行う場合であっても、通信スループットの低下などを抑制できるユーザ端末及び無線通信方法を提供することを目的の１つとする。
【課題を解決するための手段】
【００１１】
本発明の一態様に係るユーザ端末は、所定のキャリアにおいて、無線基地局からの上りリンク（ＵＬ：Uplink）送信指示によらないＵＬデータ送信を行う送信部と、前記ＵＬデータ送信のための設定が複数ある場合に、前記ＵＬデータ送信に適用する設定を決定する制御部と、を有することを特徴とする。本発明の一態様によれば、ＵＬグラントフリー送信を行う場合であっても、通信スループットの低下などを抑制できる。
【発明の効果】
【００１２】
本発明によれば、ＵＬグラントフリー送信を行う場合であっても、通信スループットの低下などを抑制できる。
【図面の簡単な説明】
【００１３】
【図１】図１Ａは、ＵＬグラントベース送信を説明するための図であり、図１Ｂは、ＵＬグラントフリー送信を説明するための図である。
【図２】図２は、ＵＬグラントフリー送信に利用するリソースの一例を示す図である。
【図３】図３は、実施形態２．１に基づくＧＦ設定の選択の一例を示す図である。
【図４】図４は、実施形態２．２に基づくＧＦ設定の選択の一例を示す図である。
【図５】図５は、本発明の一実施形態に係る無線通信システムの概略構成の一例を示す図である。
【図６】図６は、本発明の一実施形態に係る無線基地局の全体構成の一例を示す図である。
【図７】図７は、本発明の一実施形態に係る無線基地局の機能構成の一例を示す図である。
【図８】図８は、本発明の一実施形態に係るユーザ端末の全体構成の一例を示す図である。
【図９】図９は、本発明の一実施形態に係るユーザ端末の機能構成の一例を示す図である。
【図１０】図１０は、本発明の一実施形態に係る無線基地局及びユーザ端末のハードウェア構成の一例を示す図である。
【発明を実施するための形態】
【００１４】
将来の無線通信システム（例えば、ＬＴＥ  Ｒｅｌ．１４、１５以降、５Ｇ、ＮＲなど。以下、ＮＲともいう）においては、低遅延の通信を実現するために、ＵＬグラントに基づいてＵＬデータを送信するＵＬグラントベース送信（UL  grant-based  transmission）では十分ではなく、ＵＬグラントなしにＵＬデータを送信するＵＬグラントフリー送信（UL  grant-free  transmission）を適用することが検討されている。
【００１５】
ここで、ＵＬグラントベース送信とＵＬグラントフリー送信について説明する。図１Ａは、ＵＬグラントベース送信を説明するための図であり、図１Ｂは、ＵＬグラントフリー送信を説明するための図である。
【００１６】
ＵＬグラントベース送信においては、図１Ａに示すように、無線基地局（例えば、ＢＳ（Base  Station）、送受信ポイント（ＴＲＰ：Transmission/Reception  Point）、ｅＮＢ（eNode  B）、ｇＮＢなどと呼ばれてもよい）が、ＵＬデータ（ＰＵＳＣＨ：Physical  Uplink  Shared  Channel）の割り当てを指示する下り制御チャネル（ＵＬグラント）を送信し、ＵＥがＵＬグラントにしたがってＵＬデータを送信する。
【００１７】
一方、ＵＬグラントフリー送信においては、図１Ｂに示すように、ＵＥは、データのスケジューリングのためのＵＬグラントを受信することなくＵＬデータを送信する。
【００１８】
また、ＵＬグラントフリー送信では、ＵＬデータの繰り返し送信を行うことが検討されている。ＵＬデータの繰り返し送信においては、ＵＥが、トランスポートブロック（ＴＢ：Transport  Block）単位で、ＵＬデータを所定数（例えば、Ｋ）繰り返し送信することが想定される。例えば、ＵＥは、ＵＬデータの再送を指示する下り制御情報（ＵＬグラント）が送信されるまで、又は繰り返し送信数が上記所定数に到達するまで、ＵＬデータに対応するＴＢを繰り返し送信する。
【００１９】
ところで、ＮＲにおいては、ＵＬグラントフリーで送信するＵＬデータを割り当てるリソース領域を、少なくとも準静的（semi-static）に設定／再設定することをサポートすることが検討されている。リソース設定（configuration）には、時間及び／又は周波数領域の物理的なリソースを少なくとも含むことが検討されている。
【００２０】
例えば、ＵＬグラントフリー送信に利用するリソースは、既存のＬＴＥ（例えば、ＬＴＥ  Ｒｅｌ．８−１３）で用いられるＵＬセミパーシステントスケジューリング（ＳＰＳ：Semi  Persistent  Scheduling）のように上位レイヤシグナリングによって設定されることが検討されている。
【００２１】
図２は、ＵＬグラントフリー送信に利用するリソースの一例を示す図である。図２に示すように、ＵＬグラントフリー送信に利用する周波数リソースは、インターＴＴＩ周波数ホッピング、イントラＴＴＩ周波数ホッピングなどが適用されてもよい。また、ＵＬグラントフリー送信に利用する時間リソースは、時間的に連続して設定されてもよいし、時間的に非連続に（間欠的に）設定されてもよい。なお、ＵＬグラントフリー送信に利用するリソース以外のリソースは、ＵＬグラントベース送信に利用されてもよい。
【００２２】
なお、ＬＴＥ（Ｒｅｌ−１４）におけるＵＬ  ＳＰＳにおいては、送信すべきＵＬデータを有していない（例えば、送信用のバッファが空である）場合に送信スキッピング（transmission  skipping）することが検討されている。ＵＬグラントフリー送信においても、送信すべきＵＬデータを有していない場合には、ＵＬグラントフリー送信用に設定されたリソースにおいてＵＬグラントフリー送信を行わなくてよい（送信をスキップしてもよい）。
【００２３】
ところで、特にＵＲＬＬＣサービスのため、様々な遅延及び信頼性の要求範囲が検討されている。また、ＮＲのために、所定のキャリアにおいて複数のニューメロロジーがサポートされ得る。
【００２４】
ニューメロロジーとは、ある信号及び／又はチャネルの送信及び／又は受信に適用される通信パラメータであってもよく、例えば、サブキャリア間隔（ＳＣＳ：Sub-Carrier  Spacing）、帯域幅、シンボル長、サイクリックプレフィックス長、ＴＴＩ長（例えば、サブフレーム長、スロット長）、ＴＴＩあたりのシンボル数、無線フレーム構成、フィルタリング処理、ウィンドウイング処理などの少なくとも１つを示してもよい。
【００２５】
しかしながら、様々な遅延及び信頼性の要求範囲に対応するためのＵＬグラントフリー送信の設定をどのように構成するか、またＵＥが当該設定に基づいてどのようにふるまうかについては、まだ検討が進んでいない。これらを適切に決定しなければ、柔軟な制御ができず、通信スループット、周波数利用効率などの劣化が生じるおそれがある。
【００２６】
そこで、本発明者らは、ＵＬグラントフリー送信の設定及びＵＥ動作について検討し、本発明を見出した。
【００２７】
以下、本発明に係る実施形態について、図面を参照して詳細に説明する。各実施形態に係る無線通信方法は、それぞれ単独で適用されてもよいし、組み合わせて適用されてもよい。
【００２８】
なお、以下の実施形態では、任意の信号及びチャネルに関して、ＮＲ用であることを示す「ＮＲ−」の接頭語が付与されて読み替えられてもよい。
【００２９】
また、パラメータ（無線パラメータ、設定情報（configuration  information）などと呼ばれてもよい）は、１つ又は複数のパラメータのセットを示す「パラメータセット」を意味してもよい。
【００３０】
また、以下ではＵＬグラントフリーを、単にＵＬＧＦ、ＧＦなどとも表す。
【００３１】
（無線通信方法）
＜第１の実施形態＞
第１の実施形態は、ＧＦ設定（GF  configuration）の設定方法に関する。ＵＥは、１つのキャリアにおいて１つのＧＦ設定のみをサポートしてもよいし、１つより多いＧＦ設定をサポートしてもよい。なお、ＧＦ設定は、ＧＦ送信設定などと呼ばれてもよい。
【００３２】
ＵＥがサポートする（利用できる）ＧＦ設定数は、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、物理レイヤシグナリング（例えば、ＤＣＩ）又はこれらの組み合わせを用いて、ｇＮＢによって設定（指示）されてもよいし、仕様によって定められてもよい。
【００３３】
また、ＧＦ設定は、上位レイヤシグナリング（例えば、ＲＲＣシグナリング）、物理レイヤシグナリング（例えば、ＤＣＩ）又はこれらの組み合わせを用いて、ｇＮＢによって設定（指示）されてもよいし、仕様によって定められてもよい。
【００３４】
なお、所定のシグナリング（例えば上位レイヤシグナリング）によって設定されたＧＦ設定は、別のシグナリング（例えば物理レイヤシグナリング）によって、上書き（override）、更新（update）、調整（adjust）、修正（modify）などされてもよい。なお、「上書き」などの表現は一例であって、これらと同義の文言に読み替えられてよいことは自明である。
【００３５】
ＧＦ設定によって、ＵＥがＧＦ送信に用いるパラメータが決定される。以下、ＧＦ設定に含まれ得るパラメータを列挙して説明するが、これらのパラメータはＧＦ送信に用いられてもよいし、ＧＦ送信以外の処理に用いられてもよい。例えば、以下に列挙される任意のパラメータは、「ＧＦ送信に用いられるパラメータ」と読み替えられてもよい。
【００３６】
例えば、キャリアが複数のニューメロロジーをサポートする場合、当該キャリアにおける１つのＧＦ設定には、ニューメロロジーに関するパラメータが含まれることが好ましい。
【００３７】
ニューメロロジーに関するパラメータは、ニューメロロジーを特定する情報（例えば、ニューメロロジーのインデックス）を含んでもよいし、ＳＣＳ、ＴＴＩ長などの通信パラメータを含んでもよい。例えば、キャリアが所定のニューメロロジーについて、複数のＴＴＩ長をサポートする場合、当該キャリアにおける１つのＧＦ設定には、ＴＴＩ長のパラメータが含まれることが好ましい。
【００３８】
また、１つのＧＦ設定には、波形（waveform）に関するパラメータが含まれてもよい。波形に関するパラメータは、所定の伝送方式（多重方式、変調方式、アクセス方式、波形方式などと呼ばれてもよい）ベースの波形をサポートすることを示す情報を含んでもよく、例えば、サイクリックプレフィックスＯＦＤＭ（ＣＰ−ＯＦＤＭ：Cyclic  Prefix  Orthogonal  Frequency  Division  Multiplexing）ベースの波形及びＤＦＴ拡散ＯＦＤＭ（ＤＦＴ−Ｓ−ＯＦＤＭ：Discrete  Fourier  Transform  Spread  Orthogonal  Frequency  Division  Multiplexing）ベースの波形のいずれかの波形を用いることが示されてもよい。
【００３９】
なお、波形はＯＦＤＭ波形に対するＤＦＴプリコーディング（スプレッディング）の適用有無で特徴付けられてもよい。例えば、ＣＰ−ＯＦＤＭはＤＦＴプリコーディングを適用しない波形（信号）と呼ばれてもよいし、ＤＦＴ−Ｓ−ＯＦＤＭはＤＦＴプリコーディングを適用する波形（信号）と呼ばれてもよい。
【００４０】
１つのＧＦ設定には、コードワード（ＣＷ：Code  Word）マッピングに関するパラメータが含まれてもよい。例えば、周波数方向優先（frequency-first）マッピングを「Ｆ」、空間（レイヤ）方向優先（space（layer）-first）マッピングを「Ｌ」、時間方向（time-first）優先マッピングを「Ｔ」と表すと想定すると、コードワードをリソースにマッピングする順番は、Ｆ→Ｌ→Ｔ、Ｌ→Ｆ→Ｔ、Ｔ→Ｌ→Ｆ、Ｔ→Ｆ→Ｌなどが考えられる。コードワードマッピングに関するパラメータは、このようなマッピング順番の少なくとも１つを特定する情報を含んでもよい。
【００４１】
１つのＧＦ設定には、時間領域リソース（時間リソースと呼ばれてもよい）に関するパラメータが含まれてもよい。例えば、時間領域リソースに関するパラメータは、スロットインデックス、開始シンボルインデックス、送信期間、周期、サブフレームインデックス、所定の規則などを含んでもよい。なお、ＧＦ送信に用いる時間リソースは、時間的に固定のスロットに割り当てられてもよいし、所定の規則を満たすスロットに割り当てられてもよいし、任意のスロットに割り当てられてもよい。
【００４２】
１つのＧＦ設定には、周波数領域リソース（周波数リソースと呼ばれてもよい）に関するパラメータが含まれてもよい。例えば、周波数領域リソースに関するパラメータは、物理リソースブロック（ＰＲＢ：Physical  Resource  Block）数、開始リソースブロックインデックス、サブキャリア数、開始サブキャリアインデックス、周波数方向の周期、周波数ホッピングパターン、所定の規則などを含んでもよい。
【００４３】
なお、ＧＦ送信に用いる周波数リソースは、ＵＬグラントのリソース割り当てフィールドを用いる指定と同様の方法で表されてもよい。また、送信期間内の各シンボルにおける周波数リソースが指定されてもよいし、繰り返し送信回数がＫ（＞１）の場合のホッピングパターンによって周波数リソースが指定されてもよい。
【００４４】
１つのＧＦ設定には、ＧＦ送信及び／又は再送がトランスポートブロック（ＴＢ：Transport  Block）単位であるか、コードブロックグループ（ＣＢＧ：Code  Block  Group）単位であるかを示すパラメータが含まれてもよい。ここで、ＣＢは、ＴＢを分割したセグメントに該当し、ＣＢＧは、１つ以上のＣＢを含むグループに該当する。
【００４５】
１つのＧＦ設定には、ＵＬ送信スキッピングの可否に関するパラメータが含まれてもよい。なお、ＵＬ送信スキッピングは設定可能であってもよいし、ＧＦ送信の場合は常に可能（有効）としてもよいし、常に不可能（無効）としてもよい。常に可能である場合、ＧＦ設定に必要な情報量を削除できる。
【００４６】
１つのＧＦ設定には、ＨＡＲＱプロセス数（例えばＧＦ送信に用いられるＨＡＲＱプロセスの総数）が含まれてもよい。また、１つのＧＦ設定には、ＨＡＲＱプロセス番号（ＨＰＮ：HARQ  Process  Number）が含まれてもよい。１つのＨＰＮに対応して、１つ又は複数のリソースが割り当てられてもよい。なお、ＧＦ送信において利用できるＨＡＲＱプロセス数は仕様で定められてもよい。
【００４７】
なお、ＵＥは、ＧＦ送信に用いられるリソース（単にＧＦリソースと呼ばれてもよい）に基づいて、ＨＰＮを導出してもよい。ＵＥは、ＧＦ送信に用いられる時間リソースに基づいてＨＰＮを導出してもよく、例えば以下の式１によってＨＰＮを導出してもよい。
【００４８】
（式１）
2018225232.tif 000003
【００４９】
なお、式１における現在のＴＴＩ長は、ＧＦ設定によって設定されたＴＴＩ長であってもよいし、仕様で定められるＴＴＩ長であってもよい。また、式１におけるＨＡＲＱプロセス数は、上述のＧＦ送信において利用できるＨＡＲＱプロセス数であってもよい。
【００５０】
また、ＵＥは、ＧＦ送信に用いられる周波数リソースに基づいてＨＰＮを導出してもよいし、周波数リソース及び時間リソースに基づいてＨＰＮを導出してもよい。
【００５１】
１つのＧＦ設定には、変調及び符号化方式（ＭＣＳ：Modulation  and  Coding  Scheme）、新規データ指標（ＮＤＩ：New  Data  Indicator）、冗長バージョン（ＲＶ：Redundancy  Version）などが含まれてもよい。
【００５２】
１つのＧＦ設定には、電力制御関連のパラメータ（例えば、目標受信電力に関するパラメータ、送信電力オフセット（Ｐ＿０）など）が含まれてもよい。
【００５３】
１つのＧＦ設定には、所定の測定及び／又は報告に関するパラメータが含まれてもよい。例えば、所定の測定及び／又は報告に関するパラメータは、非周期ＣＳＩ（Ａ−ＣＳＩ：Aperiodic  Channel  State  Information）報告に関するパラメータ及び／又はトリガ、非周期測定用参照信号（Ａ−ＳＲＳ：Sounding  Reference  Signal）送信に関するパラメータ及び／又はトリガなどを含んでもよい。
【００５４】
１つのＧＦ設定には、任意の参照信号（例えば、ＧＦ送信のための復調用参照信号（ＤＭＲＳ：DeModulation  Reference  Signal））に関するパラメータ（ＲＳパラメータと呼ばれてもよい）が含まれてもよい。
【００５５】
１つのＧＦ設定には、所定の識別子（例えば、ネットワーク一時識別子（ＲＮＴＩ：Radio  Network  Temporary  Identifier））に関するパラメータが含まれてもよい。例えば、１つのＧＦ設定には、ＧＦ送信関連のスクランブル及び／又はデスクランブルに用いられるＲＮＴＩ（ＵＬＧＦ−ＲＮＴＩ、ＧＦ−ＲＮＴＩなどと呼ばれてもよい）が含まれてもよい。ＵＬＧＦ−ＲＮＴＩは、ＧＦ設定に関する下り信号（例えば、ＤＣＩ）のスクランブル、ＧＦ送信を受信したｇＮＢが送信するＵＬグラントのスクランブルなどに利用されてもよい。
【００５６】
１つのＧＦ設定には、ＧＦ送信の繰り返しに関するパラメータ（繰り返し関連パラメータ）が含まれてもよい。例えば、繰り返し関連パラメータは、ＧＦ送信の繰り返し回数（Ｋ）であってもよい。
【００５７】
Ｋが１より大きい場合、１つのＧＦ設定には、１つ又は複数の繰り返し単位（スロットなど）ごとに用いられるＭＣＳ、ＲＶ、ＲＳパラメータ、電力制御関連のパラメータなどが含まれてもよい。つまり、１つのＧＦ設定には、ＭＣＳ、電力制御関連パラメータなどが複数含まれてもよい。例えば、複数含まれる同じ種類のパラメータ（例えばＭＣＳ）のうち少なくとも１つは、絶対値で表されてもよいし、同じ種類の別のパラメータからの調整値（例えば差分）で表されてもよい。
【００５８】
また、繰り返し関連パラメータは、Ｋ回の繰り返し送信のうち、ｎ番目（ｎはＫ以下）のリソースにて所定の測定及び／又は報告（例えば、Ａ−ＣＳＩ報告、Ａ−ＳＲＳ送信など）をトリガ（指示）する情報を含んでもよい。
【００５９】
また、繰り返し関連パラメータは、隣接する繰り返し送信（例えば、１番目と２番目の送信）の間の時間オフセット（例えば、スロット数）を含んでもよい。
【００６０】
また、繰り返し関連パラメータは、周波数ホッピングパターン（例えば、隣接する繰り返し送信の間のホッピング規則）を含んでもよい。
【００６１】
１つのＧＦ設定には、ＧＦ設定を区別（特定、識別）するためのＧＦ設定インデックスが含まれてもよい。
【００６２】
なお、以上説明したＧＦ設定に含まれ得るパラメータは、明示的に通知されてもよいし、暗示的に通知（例えば別のパラメータを考慮することによって特定）されてもよい。
【００６３】
以上説明した第１の実施形態によれば、ＵＥは、適切にＧＦ設定を設定され、ＧＦ送信を行うことができる。例えば、ＵＥは、ニューメロロジーごとに異なるＧＦ設定を用いてＧＦ送信を行うことができるため、柔軟な制御が可能である。
【００６４】
＜第２の実施形態＞
第２の実施形態は、ＵＥが１つのキャリアにおいて１つより多いＧＦ設定をサポートする場合のＵＥのふるまいに関する。第２の実施形態は、所定のタイミング（期間）において１つのＧＦ送信手順のみが許容されるケース（実施形態２．１）と、所定のタイミングにおいて１つより多いＧＦ送信手順が許容されるケース（実施形態２．２）と、に大別される。
【００６５】
以下ではＵＲＬＬＣトラフィック（データ）をＧＦ送信する場合を例に説明するが、これに限られない。以下のＵＲＬＬＣトラフィックは、任意のトラフィックに読み替えられてもよい。
【００６６】
［実施形態２．１］
実施形態２．１においては、ＵＥは、当該ＵＥのバッファにＵＲＬＬＣトラフィックがある（ＵＲＬＬＣデータが利用可能になった、到着した、などと呼ばれてもよい）場合に、最先の（直近の）ＧＦリソースに該当（又は対応）するＧＦ設定を選択してＧＦ送信に用いる。
【００６７】
この処理は、ＵＲＬＬＣトラフィックがどの論理チャネルグループ（ＬＣＧ：Logical  Channel  Group）で生じたかに関わらず、バッファにＵＲＬＬＣトラフィックがある場合に実施されてもよい。なお、最先のＧＦリソースに該当するＧＦ設定は、最先のＧＦリソースを特定（又は規定）するＧＦ設定と呼ばれてもよい。
【００６８】
また、複数のＬＣＧがある場合、これらのＬＣＧはそれぞれ異なるＵＲＬＬＣサービスに利用されてもよい。
【００６９】
ＵＥは、全ＬＣＧの送信すべき上りデータのバッファ量（バッファサイズ）を示すバッファ状態報告（ＢＳＲ：Buffer  Status  Report）を、データと一緒にＧＦ送信してもよい。ｇＮＢは当該データの復号に成功した場合、ＵＲＬＬＣトラフィックの送信のためのＵＬグラントをＵＥに送信してもよい。
【００７０】
ＵＥは、１つのキャリアの同じタイミング（例えば、同じシンボル）において、１つより多いＧＦ設定が衝突する場合（つまり、別々のＧＦ設定に基づく複数のＧＦリソースが時間的に重複する場合）、所定の規則に従っていずれかのＧＦ設定を選択してＧＦ送信に用いてもよい。
【００７１】
当該所定の規則に関する情報（ＧＦ設定間の優先順の情報）は、上位レイヤシグナリング（例えば、ＲＲＣシグナリング）によって設定されてもよいし、ＧＦ設定に含まれて通知されてもよいし、仕様によって定められてもよい。
【００７２】
例えば、ＵＥは、１つのキャリアの同じシンボルにおいて、１つより多いＧＦ設定が衝突する場合、複数のＧＦ設定のうち、より短い（又はより長い）周期、より短い（又はより長い）送信期間、より小さい（又はより大きい）繰り返し回数、より小さい（又はより大きい）ＳＣＳなどの少なくとも１つに該当するＧＦ設定を選択してもよい。また、ＵＥは、複数のＧＦ設定のうち、所定のＧＦ設定インデックス（例えば、より小さいＧＦ設定インデックス）に対応するＧＦ設定を選択してもよい。
【００７３】
なお、周期、送信期間などの長さは、単純にスロット数によって判断されてもよいし、例えばニューメロロジー（ＳＣＳ、スロット長など）及びスロット数を考慮した実際の時間長で判断されてもよい。
【００７４】
ＵＥは、所定の識別子（例えば、ＵＬＧＦ−ＲＮＴＩでないＲＮＴＩ。Ｃ−ＲＮＴＩ（Cell  RNTI）など）によってスクランブルされたＵＬグラントが所定のリソースをスケジュールする場合であって、当該所定のリソースがＧＦリソースと重複する場合、所定の規則に従って、当該ＵＬグラントによってスケジュールされるＵＬ送信を優先するか、ＧＦリソースを用いたＧＦ送信を優先するか、を判断してもよい。
【００７５】
これらの送信の優先順は、上位レイヤシグナリング（例えば、ＲＲＣシグナリング）によって設定されてもよいし、ＧＦ設定に含まれて通知されてもよいし、ＵＬグラントによって動的に指示されてもよい。
【００７６】
なお、ＵＬＧＦ−ＲＮＴＩによってスクランブルされたＵＬグラントが所定のリソースをスケジュールする場合であって、当該所定のリソースがＧＦリソースと重複する場合、当該ＵＬグラントによってスケジュールされるＵＬ送信を優先してもよい。
【００７７】
図３は、実施形態２．１に基づくＧＦ設定の選択の一例を示す図である。ここでは、ニューメロロジー（ＳＣＳ）が１５ｋＨｚ、周期が３スロット及び送信期間が１スロットであるＧＦ設定をＧＦ設定１と示している。また、ニューメロロジー（ＳＣＳ）が３０ｋＨｚ、周期が４スロット及び送信期間が１スロットであるＧＦ設定をＧＦ設定２と示している。
【００７８】
これらのＧＦ設定の周波数リソースは、キャリア（コンポーネントキャリア）帯域幅のうち、互いに重複しない周波数帯域に位置している。また、ＧＦ設定２のスロットの開始又は終了タイミングは、ＧＦ設定１のスロット境界と一致している。
【００７９】
図３の例では、ＧＦ設定１におけるスロット＃２かつＧＦ設定２におけるスロット＃５のタイミングにおいて、ＵＲＬＬＣトラフィックが到着（発生）するケースを示している。このタイミングから最先のＧＦリソースは、ＧＦ設定１におけるスロット＃３及びＧＦ設定２におけるスロット＃６に該当する。
【００８０】
本例において、ＵＥは、同じタイミングにおいて複数のＧＦ設定が衝突する場合、複数のＧＦ設定のうち、より短い送信期間（又は周期）に該当するＧＦ設定を選択する。つまり、ＵＥは、最先のＧＦリソースのうち、実際の送信期間（又は周期）がより短いＧＦ設定２のＧＦリソースを選択し、当該ＧＦリソースを用いてＵＲＬＬＣトラフィックをＧＦ送信する。この場合、ＵＥは、ＧＦ設定１におけるスロット＃３のＧＦリソースを送信スキッピングする。
【００８１】
また、本例は、ＧＦ設定１におけるスロット＃５かつＧＦ設定２におけるスロット＃２のタイミングにおいて、ＵＲＬＬＣトラフィックが到着するケースも示している。このタイミングから最先のＧＦリソースは、ＧＦ設定１におけるスロット＃６に該当するため、ＵＥは、ＧＦ設定１におけるスロット＃６のＧＦリソースを用いてＵＲＬＬＣトラフィックをＧＦ送信する。
【００８２】
以上説明した実施形態２．１によれば、ＵＥは、１つのＧＦ送信手順のみが許容される場合であっても、ＧＦ送信に適用するＧＦ設定を適切に判断できる。
【００８３】
［実施形態２．２］
実施形態２．２においては、異なるＧＦ設定は、異なるニューメロロジー、異なるＴＴＩ長及び異なるＬＣＧの少なくとも１つに関連付けられてＵＥに設定される。このような構成によれば、複数の異なるＵＲＬＬＣ要求について、それぞれ別々のＧＦ設定を割り当てることができる。
【００８４】
ＵＥは、所定のニューメロロジー、所定のＴＴＩ長及び所定のＬＣＧの少なくとも１つに関連するＵＲＬＬＣトラフィックがある場合に、当該所定のニューメロロジー、所定のＴＴＩ長及び所定のＬＣＧの少なくとも１つのために設定されたＧＦ設定を選択してＧＦ送信に用いてもよい。つまり、ＵＥは、ＵＲＬＬＣトラフィックを、当該ＵＲＬＬＣトラフィックと関連付けられたＧＦ設定を用いてＧＦ送信するとも言える。
【００８５】
ただし、ＵＥは、当該ＵＲＬＬＣトラフィックが厳しい遅延要求（tight  latency  requirement）を有する場合には、最先の（直近の）ＧＦリソースに該当するＧＦ設定を選択してＧＦ送信に用いてもよい。一方で、ＵＥは、当該ＵＲＬＬＣトラフィックが厳しい遅延要求を有しない場合には、当該ＵＲＬＬＣトラフィックが関連する所定のニューメロロジー、所定のＴＴＩ長及び所定のＬＣＧの少なくとも１つのために設定されたＧＦ設定を選択してＧＦ送信に用いてもよい。
【００８６】
ＵＥは、データと一緒に、全ＬＣＧに関するＢＳＲをＧＦ送信してもよいし、選択されたＧＦ設定に対応するＬＣＧに関するＢＳＲをＧＦ送信してもよい。
【００８７】
ＵＥは、１つのキャリアの同じタイミング（例えば、同じシンボル）において、１つより多いＧＦ設定が衝突する場合、所定の規則に従っていずれかのＧＦ設定を選択してＧＦ送信に用いてもよい。
【００８８】
当該所定の規則に関する情報（ＧＦ設定間の優先順の情報）は、上位レイヤシグナリング（例えば、ＲＲＣシグナリング）によって設定されてもよいし、ＧＦ設定に含まれて通知されてもよいし、仕様によって定められてもよい。
【００８９】
例えば、ＵＥは、１つのキャリアの同じシンボルにおいて、１つより多いＧＦ設定が衝突する場合、より厳しい遅延要求を有する（又は満たすことができる）ＧＦ設定を選択してもよい。ＵＥは、複数のＧＦ設定のうち、より短い周期、より短い送信期間、より小さい繰り返し回数、より大きいＳＣＳなどの少なくとも１つに該当するＧＦ設定を選択してもよい。ＵＥは、複数のＧＦ設定のうち、繰り返し回数が１回に該当するＧＦ設定を選択してもよい。
【００９０】
また、ＵＥは、複数のＧＦ設定のうち、所定のＧＦ設定インデックス（例えば、より小さいＧＦ設定インデックス）に対応するＧＦ設定を選択してもよい。
【００９１】
ＵＥは、所定の識別子（例えば、ＵＬＧＦ−ＲＮＴＩでないＲＮＴＩ。Ｃ−ＲＮＴＩなど）によってスクランブルされたＵＬグラントが所定のリソースをスケジュールする場合であって、当該所定のリソースがＧＦリソースと重複する場合、所定の規則に従って、当該ＵＬグラントによってスケジュールされるＵＬ送信を優先するか、ＧＦリソースを用いたＧＦ送信を優先するか、を判断してもよい。
【００９２】
当該所定の規則に関する情報（ＵＬグラントベース送信及びＧＦ送信の優先順の情報）は、上位レイヤシグナリング（例えば、ＲＲＣシグナリング）によって設定されてもよいし、ＧＦ設定に含まれて通知されてもよいし、ＵＬグラントによって動的に指示されてもよい。
【００９３】
例えば、ＵＥは、常にＵＬグラントによってスケジュールされるＵＬ送信を高い優先度と判断してもよいし、常にＧＦリソースを用いたＧＦ送信を高い優先度と判断してもよい。また、ＵＥは、より厳しい遅延要求を有する（又は満たすことができる）ＧＦ設定がある場合には、当該ＧＦ設定を高い優先度と判断してもよく、それ以外の場合には、ＵＬグラントによってスケジュールされるＵＬ送信を高い優先度と判断してもよい。
【００９４】
なお、ＵＬＧＦ−ＲＮＴＩによってスクランブルされたＵＬグラントが所定のリソースをスケジュールする場合であって、当該所定のリソースがＧＦリソースと重複する場合、当該ＵＬグラントによってスケジュールされるＵＬ送信を優先してもよい。
【００９５】
図４は、実施形態２．２に基づくＧＦ設定の選択の一例を示す図である。ここでは、ニューメロロジー（ＳＣＳ）が１５ｋＨｚ、周期が１．５スロット及び送信期間が０．５スロット（ハーフスロット）であるＧＦ設定をＧＦ設定１と示している。また、ニューメロロジー（ＳＣＳ）が３０ｋＨｚ、周期が２スロット及び送信期間が０．５スロットであるＧＦ設定をＧＦ設定２と示している。このように、ＧＦリソースの周期、送信期間などは、小数の単位で指定されてもよい。
【００９６】
これらのＧＦ設定の周波数リソースは、キャリア（コンポーネントキャリア）帯域幅のうち、互いに重複しない周波数帯域に位置している。また、ＧＦ設定２のスロットの開始又は終了タイミングは、ＧＦ設定１のスロット境界と一致している。
【００９７】
図４の例では、ＧＦ設定１におけるスロット＃０かつＧＦ設定２におけるスロット＃０のタイミングにおいて、ＧＦ設定１及び２向けのＵＲＬＬＣトラフィックが到着するケースを示している。ここで、当該ＧＦ設定１向けのＵＲＬＬＣトラフィックは、ＧＦ設定１の２スロットを用いて送信可能な量であり、当該ＧＦ設定２向けのＵＲＬＬＣトラフィックは、ＧＦ設定２の２スロットを用いて送信可能な量であると仮定する。また、いずれのＵＲＬＬＣトラフィックも、厳しい遅延要求を求めないと仮定する。
【００９８】
上記トラフィックの到着タイミングから最先のＧＦ設定１のＧＦリソースは、ＧＦ設定１におけるスロット＃０内の後半ハーフスロットに該当する。このため、ＵＥは、ＧＦ設定１におけるスロット＃０内の後半ハーフスロットのＧＦリソースを用いて、ＧＦ設定１に関連するＵＲＬＬＣトラフィックをＧＦ送信する。
【００９９】
また、上記トラフィックの到着タイミングから最先のＧＦ設定２のＧＦリソースは、ＧＦ設定２におけるスロット＃２内の前半ハーフスロットに該当する。このため、ＵＥは、ＧＦ設定２におけるスロット＃２内の前半ハーフスロットのＧＦリソースを用いて、ＧＦ設定２に関連するＵＲＬＬＣトラフィックをＧＦ送信する。
【０１００】
次の最先のＧＦリソースは、ＧＦ設定１におけるスロット＃２内の前半ハーフスロット及びＧＦ設定２におけるスロット＃４内の前半ハーフスロットに該当する。
【０１０１】
本例において、ＵＥは、同じタイミングにおいて複数のＧＦ設定が衝突する場合、複数のＧＦ設定のうち、より短い送信期間（又は周期）に該当するＧＦ設定を選択する。つまり、ＵＥは、最先のＧＦリソースのうち、実際の送信期間（又は周期）がより短いＧＦ設定２におけるスロット＃４内の前半ハーフスロットのＧＦリソースを選択し、当該ＧＦリソースを用いてＧＦ設定２に関連するＵＲＬＬＣトラフィックをＧＦ送信する。この場合、ＵＥは、ＧＦ設定１におけるスロット＃２内の前半ハーフスロットのＧＦリソースをドロップする（こちらのＧＦリソースでは送信しない）。
【０１０２】
次の最先のＧＦ設定１のＧＦリソースは、ＧＦ設定１におけるスロット＃３内の後半ハーフスロットに該当する。このため、ＵＥは、ＧＦ設定１におけるスロット＃３内の後半ハーフスロットのＧＦリソースを用いて、ＧＦ設定１に関連するＵＲＬＬＣトラフィックをＧＦ送信する。
【０１０３】
以上説明した実施形態２．２によれば、ＵＥは、複数のＧＦ送信手順が許容される場合であっても、ＧＦ送信に適用するＧＦ設定を適切に判断できる。
【０１０４】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１０５】
図５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０７】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１０８】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１０９】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１０】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１１】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０１１２】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１１３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１１９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２０】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２１】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２４】
（無線基地局）
図６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２５】
下りリンクによって無線基地局１０からユーザ端末２０に送信されるユーザデータは、上位局装置３０から伝送路インターフェース１０６を介してベースバンド信号処理部１０４に入力される。
【０１２６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３１】
送受信部１０３は、ユーザ端末２０から、無線基地局１０からのＵＬ送信指示（ＵＬグラント）なしにＵＬデータを送信するＧＦ送信によって送信されたデータを受信する。
【０１３２】
また、送受信部１０３は、１つ以上のＧＦ設定の情報、ＧＦ設定間の優先順の情報、ＵＬグラントベース送信及びＧＦ送信の優先順の情報などを、ユーザ端末２０に対して送信してもよい。
【０１３３】
図７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３５】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３８】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３９】
制御部３０１は、ユーザ端末２０に対して、ＧＦ送信に適用させるためのＧＦ設定を送信する制御を行う。また、制御部３０１は、ＧＦ設定を複数設定した場合に、所定のタイミングのＧＦ送信に適用する（実際に用いる）ＧＦ設定を決定させるための情報を送信する制御を行ってもよい。
【０１４０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１４１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４２】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４５】
測定部３０５は、受信した信号に関する測定を実施する。測定部３０５は、本発明に係る技術分野での共通認識に基づいて説明される測定器、測定回路又は測定装置から構成することができる。
【０１４６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４７】
（ユーザ端末）
図８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５１】
送受信部２０３は、無線基地局１０からのＵＬ送信指示（ＵＬグラント）なしにＵＬデータを送信するＧＦ送信を行う。
【０１５２】
また、送受信部２０３は、１つ以上のＧＦ設定の情報、ＧＦ設定間の優先順の情報、ＵＬグラントベース送信及びＧＦ送信の優先順の情報などを、無線基地局１０から受信してもよい。
【０１５３】
図９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１５４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５５】
制御部４０１は、ユーザ端末２０全体の制御を実施する。制御部４０１は、本発明に係る技術分野での共通認識に基づいて説明されるコントローラ、制御回路又は制御装置から構成することができる。
【０１５６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５８】
制御部４０１は、ＧＦ設定（無線基地局１０からのＵＬ送信指示によらないＵＬデータ送信のための設定）に基づいて、ＧＦ送信を制御する。また、制御部４０１は、ＧＦ設定が複数ある場合に、所定のタイミングのＧＦ送信に適用する（実際に用いる）ＧＦ設定を決定してもよい。
【０１５９】
ＧＦ設定は、ニューメロロジーに関するパラメータを含んでもよいし、ＨＡＲＱプロセス数及び／又はＨＡＲＱプロセス番号を含んでもよい。
【０１６０】
制御部４０１は、最先のＧＦリソースに該当するＧＦ設定を、ＧＦ送信に適用してもよい。制御部４０１は、ＵＬデータが所定のＬＣＧに関連する場合に、当該ＬＣＧのために設定されたＧＦ設定を、ＧＦ送信に適用してもよい。また、制御部４０１は、別々のＧＦ設定に基づく複数のＧＦリソースが時間的に重複する場合、所定の規則に従って決定したＧＦ設定を、ＧＦ送信に適用してもよい。
【０１６１】
また、制御部４０１は、無線基地局１０から通知された各種情報を受信信号処理部４０４から取得した場合、当該情報に基づいて制御に用いるパラメータを更新してもよい。
【０１６２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１６３】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６４】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１６５】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６６】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６７】
測定部４０５は、受信した信号に関する測定を実施する。測定部４０５は、本発明に係る技術分野での共通認識に基づいて説明される測定器、測定回路又は測定装置から構成することができる。
【０１６８】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１６９】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７０】
例えば、本発明の一実施形態における無線基地局、ユーザ端末などは、本発明の無線通信方法の処理を行うコンピュータとして機能してもよい。図１０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７１】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１７３】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７５】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１７７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８１】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８２】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８３】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１８４】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１８５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８６】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８７】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８９】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９１】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９３】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９４】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９５】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９６】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９７】
また、情報、信号などは、上位レイヤから下位レイヤ、及び／又は下位レイヤから上位レイヤへ出力され得る。情報、信号などは、複数のネットワークノードを介して入出力されてもよい。
【０１９８】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９９】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２００】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０１】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０２】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０５】
本明細書において使用する「システム」及び「ネットワーク」という用語は、互換的に使用される。
【０２０６】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０７】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０８】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１０】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１１】
同様に、本明細書におけるユーザ端末は、無線基地局で読み替えてもよい。この場合、上述のユーザ端末２０が有する機能を無線基地局１０が有する構成としてもよい。
【０２１２】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１３】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１４】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１５】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１６】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１７】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１８】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２１９】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２０】
本明細書において、「ＡとＢが異なる」という用語は、「ＡとＢが互いに異なる」ことを意味してもよい。「離れる」、「結合される」などの用語も同様に解釈されてもよい。
【０２２１】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２２】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2018225232.tif 000004
【図２】
2018225232.tif 000005
【図３】
2018225232.tif 000006
【図４】
2018225232.tif 000007
【図５】
2018225232.tif 000008
【図６】
2018225232.tif 000009
【図７】
2018225232.tif 000010
【図８】
2018225232.tif 000011
【図９】
2018225232.tif 000012
【図１０】
2018225232.tif 000013
【国際調査報告】
2018225232.tif 000014
2018225232.tif 000015
2018225232.tif 000016
2018225232.tif 000017